(57)【要約】【課題】機器配置の変更を容易にするとともに、配電盤本体側の束線の製作し直しを不必要とする。【解決手段】扉２に監視部ユニット用、操作表示部ユニット用及び保護装置部ユニット用の各開口部１６〜１８を設け、開口部１６には計器用機器が設けられた監視部ユニット２１を取り付け、開口部１７には操作表示用機器が設けられた操作表示部ユニット２５を取り付け、開口部１８には保護用機器が設けられた保護装置部ユニット２９を取り付け、各ユニット２１，２５，２９には配電盤本体１側と電気的な接続を行うためのコネクタ２２，２６，３０をそれぞれ設ける。【選択図】図１
2008099497.tif 000002
【特許請求の範囲】
【請求項１】
配電盤本体の開口部に扉を開閉自在に設けた配電盤において、監視部ユニット用、操作表示部ユニット用及び保護装置部ユニット用の各開口部が設けられた扉と、計器用機器が設けられるとともに、配電盤本体側と電気的接続を行うためのコネクタが設けられ、扉の監視部ユニット用開口部に取り付けられた監視部ユニットと、操作表示用機器が設けられるとともに、配電盤本体側と電気的接続を行うためのコネクタが設けられ、扉の操作表示部ユニット用開口部に取り付けられた操作表示部ユニットと、保護用機器が設けられるとともに、配電盤本体側と電気的接続を行うためのコネクタが設けられ、扉の保護装置部ユニット用開口部に取り付けられた保護装置部ユニットとを備えたことを特徴とする配電盤の扉構造。
【請求項２】
上記各機器を各ユニットの表面板にそれぞれ設けたことを特徴とする請求項１記載の配電盤の扉構造。
【発明の詳細な説明】
【技術分野】
【０００１】
この発明は、配電盤の扉構造に関するものである。
【背景技術】
【０００２】
図３は従来の配電盤の斜視図を示し、１は配電盤本体、２は配電盤本体１の開口部に開閉自在に設けられた扉であり、扉２には電圧計３、電力計４、電流計５及び電力量計６等の監視部７が設けられるとともに、操作スイッチ８や表示部９等の操作表示部１０が設けられ、さらには保護継電器１１、ＰＴ１２及びＣＴ１３等の保護装置部１４が設けられ、これらの一つ一つの各機器を取り付けるために扉２には多くの取付孔が設けられている。又、扉２の裏面には補助継電器１５やタイマー等が設けられている。
【０００３】
又、特許文献１においては、扉には機器状態表示部、アラーム、電流計及びその他の機器に対応したランプやスイッチ等が設けられており、これらの場合も一つ一つの機器を設けるために取付孔が設けられている。
【特許文献１】特開２００３−３２８１９号公報
【発明の開示】
【発明が解決しようとする課題】
【０００４】
上記した配電盤においては、組立中に需要者から機器配置の変更を要求された場合、扉２を新しいものと交換するとともに、束線もやり直さなければならず、大幅なコストアップになった。
【０００５】
この発明は上記のような課題を解決するために成されたものであり、需要者からの機器配置の変更要求にも容易に対応することができるとともに、束線の製作し直しも必要としない配電盤の扉構造を得ることを目的とする。
【課題を解決するための手段】
【０００６】
この発明の請求項１に係る配電盤の扉構造は、配電盤本体の開口部に扉を開閉自在に設けた配電盤において、監視部ユニット用、操作表示部ユニット用及び保護装置部ユニット用の各開口部が設けられた扉と、計器用機器が設けられるとともに、配電盤本体側と電気的接続を行うためのコネクタが設けられ、扉の監視部ユニット用開口部に取り付けられた監視部ユニットと、操作表示用機器が設けられるとともに、配電盤本体側と電気的接続を行うためのコネクタが設けられ、扉の操作表示部ユニット用開口部に取り付けられた操作表示部ユニットと、保護用機器が設けられるとともに、配電盤本体側と電気的接続を行うためのコネクタが設けられ、扉の保護装置部ユニット用開口部に取り付けられた保護装置部ユニットとを備えたものである。
【０００７】
請求項２に係る配電盤の扉構造は、上記各機器を各ユニットの表面板にそれぞれ設けたものである。
【発明の効果】
【０００８】
以上のようにこの発明の請求項１によれば、計器用機器が設けられた監視部ユニットと、操作表示用機器が設けられた操作表示部ユニットと、保護用機器が設けられた保護装置部ユニットとを扉の開口部にそれぞれ取り付けており、計器用機器の配置変更があった場合には監視部ユニットのみを製作し直せばよく、操作表示用機器の配置変更があった場合には操作表示部ユニットのみを製作し直せばよく、また保護用機器の配置変更があった場合には保護装置部ユニットのみを製作し直せばよく、製作のし直しが容易になり、コストダウンが可能となる。又、各ユニットにはコネクタが設けられ、各ユニットと配電盤本体側の束線との接続はコネクタにより行われるので、束線の製作し直しも必要でなくなる。
【０００９】
請求項２によれば、各機器は各ユニットの表面板に設けられているので、機器の配置変更があった場合にユニットの表面板のみを製作し直せばよく、製作し直しがさらに容易になり、さらなるコストダウンが可能となる。
【発明を実施するための最良の形態】
【００１０】
以下、この発明を実施するための最良の形態を図面とともに説明する。図１はこの発明の実施最良形態による配電盤の扉構造の分解斜視図を示し、扉２の上、中、下部にはそれぞれ監視部ユニット用、操作表示部ユニット用及び保護装置部ユニット用の各開口部１６〜１８が設けられ、扉２の開口部１６〜１８の上下の裏面側にはスタッドボルト１９が取り付けられる。２０は扉２を配電盤本体１に開閉自在に取り付けるための蝶番である。２１は開口部１６に取り付けられる監視部ユニットであり、電圧計３等の計器用機器が設けられるとともに、配電盤本体１側の束線と電気的接続を行うためのコネクタ２２が電線２３を介して接続され、またスタッドボルト１９に取り付けるための取付孔２４が設けられる。
【００１１】
２５は開口部１７に取付られる操作表示部ユニットであり、操作スイッチ８等の操作表示用機器が設けられるとともに、配電盤本体１側の束線と電気的接続を行うためのコネクタ２６が電線２７を介して接続され、またスタッドボルト１９に取り付けられる取付孔２８が設けられる。２９は開口部１８に取り付けられる保護装置部ユニットであり、保護継電器１１等の保護用機器が設けられるとともに、配電盤本体１側の束線と電気的接続を行うためのコネクタ３０が電線３１を介して接続され、またスタッドボルト１９に取り付けるための取付孔３２が設けられる。
【００１２】
図２は監視部ユニット２１の分解斜視図であり、３３は厚さ２．３ｍｍ又は３．２ｍｍの表面板であり、電圧計３等の計器用機器及びコネクタ２２が取り付けられ、取付孔２４の他に本体ケース３５と取り付けるための取付孔３４が設けられている。３５は本体ケースであり、前面に取付孔２４の他に表面板３３と取り付けるための取付孔３６が設けられ、また本体ケース３５の下部にはコネクタ２２の貫通孔３７が設けられる。又、本体ケース３５の後面には点検口３８及び充電部保護カバー４０との取付孔３９が設けられ、点検口３８にはプラスチック製の充電部保護カバー４０が取り付けられる。４１は本体ケース３５との取付孔である。なお、操作表示部ユニット２５及び保護装置部ユニット２９も監視部ユニット２１と同様に構成されており、操作表示用機器及び保護用機器はいずれも表面板に取り付けられている。
【００１３】
上記実施最良形態においては、計器用機器が設けられた監視部ユニット２１、操作表示用機器が設けられた操作表示部ユニット２５及び保護用機器が設けられた保護装置部ユニット２９が扉２の開口部１６〜１８にそれぞれ取り付けられており、計器用機器の配置変更があった場合には監視部ユニット２１のみを製作し直せばよく、操作表示用機器の配置変更があった場合には操作表示部ユニット２５のみを製作し直せばよく、保護用機器の配置変更があった場合には保護装置部部ユニット２９のみを製作し直せばよく、製作のし直しが容易になり、コストダウンが可能となる。特に、これらの機器は各ユニット２１，２５，２９の表面板に設けられているので、表面板のみを製作し直せばよく、さらに製作し直しが容易になり、さらなるコストダウンが可能となる。又、各ユニット２１，２５，２９にはコネクタ２２，２６，３０が設けられているので、各ユニット２１，２５，２９と配電盤本体１の束線との接続はコネクタ２２，２６，３０により行われるので、機器の配置変更があっても配電盤本体１の束線の製作し直しがなくなり、束線の追加程度で間に合い、これによってもコストダウンが可能になる。
【図面の簡単な説明】
【００１４】
【図１】この発明の実施最良形態による配電盤の扉構造の分解斜視図である。
【図２】実施最良形態による監視部ユニットの分解斜視図である。
【図３】従来の配電盤の斜視図である。
【符号の説明】
【００１５】
１…配電盤本体
２…扉
３…電圧計
４…電力計
５…電流計
６…電力量計
８…操作スイッチ
９…表示部
１１…保護継電器
１２…ＰＴ
１３…ＣＴ
１６〜１８…開口部
２１…監視部ユニット
２２，２６，３０…コネクタ
２５…操作表示部ユニット
２９…保護装置部ユニット
３３…表面板
【図１】
2008099497.tif 000003
【図２】
2008099497.tif 000004
【図３】
2008099497.tif 000005